(57)【要約】【課題】液晶パネルの駆動タイミングに応じて、容易に点灯／消灯する発光素子を切換えることができる液晶表示装置を提供することである。【解決手段】液晶表示装置１００において、光照射部８３ａ〜８３ｆは、ＬＥＤが導光板８１の側面と対向する向きに所定間隔で設けられ、給電回路８４は、各々の光照射部８３ａ〜８３ｆを直列に接続し、各々の光照射部８３ａ〜８３ｆの両端部８３ａａ〜８３ｆｆ及び／又は複数の光照射部８３ａ〜８３ｆの両端部８３ａａ〜８３ｆｆに接続され、オンした状態で両端部８３ａａ〜８３ｆｆの間に接続された光照射部８３ａ〜８３ｆへの給電を停止するスイッチ８５ａ〜８５ｇを備え、切換えプログラムにより、液晶パネルの駆動タイミングに応じて各々のスイッチ８５ａ〜８５ｇのオン／オフ状態を制御し、給電を停止する一又は複数の光照射部８３ａ〜８３ｆを順次切換えるように構成する。【選択図】図２
2010210973.tif 000002
【特許請求の範囲】
【請求項１】
液晶パネルの背面に配置された導光板を介して前記液晶パネルに向けて光を照射する発光素子を有する光照射部と、前記光照射部に給電して発光素子から光を出射させる給電回路と、を含み、映像信号に基づく映像を前記液晶パネルを介して表示する液晶表示装置において、
前記光照射部は、前記発光素子が導光板の側面と対向する向きに所定間隔で複数設けられ、
前記給電回路は、各々の前記光照射部を直列に接続し、各々の前記光照射部の両端部及び／又は複数の前記光照射部の両端部に接続され、オンした状態で両端部の間に接続された光照射部への給電を停止するスイッチを有し、
前記液晶パネルの駆動タイミングに応じて各々の前記スイッチのオン／オフ状態を制御し、給電を停止する一又は複数の光照射部を順次切換える切換え手段を備えることを特徴とする液晶表示装置。
【請求項２】
請求項１に記載の液晶表示装置において、
前記切換え手段により給電を停止する光照射部を切換える順序を変更する変更手段を備えることを特徴とする液晶表示装置。
【請求項３】
請求項１又は２に記載の液晶表示装置において、
各々の前記光照射部は、前記発光素子を複数直列、並列、あるいは直並列に接続したものからなることを特徴とする液晶表示装置。
【請求項４】
液晶パネルの背面に配置された導光板を介して前記液晶パネルに向けて光を照射する発光素子を有する光照射部と、前記光照射部に給電して発光素子から光を出射させる給電回路と、を含み、入力される映像信号を前記液晶パネルを介して表示する液晶表示装置において、
前記光照射部は、前記発光素子が導光板の側面と対向する向きに所定間隔で複数設けられ、
前記給電回路は、各々の前記光照射部を直列に接続し、各々の前記光照射部の両端部及び／又は複数の前記光照射部の両端部に接続され、オンした状態で両端部の間に接続された光照射部への給電を停止するスイッチを有し、
前記液晶パネルの駆動タイミングに応じて各々の前記スイッチのオン／オフ状態を制御し、給電を停止する一又は複数の光照射部を順次切換える切換え手段と、
前記切換え手段により給電を停止する光照射部を切換える順序を変更する変更手段と、
を備え、
各々の前記光照射部は、前記発光素子を複数直列、並列、あるいは直並列に接続したものからなることを特徴とする液晶表示装置。
【発明の詳細な説明】
【技術分野】
【０００１】
本発明は、液晶表示装置に関する。
【背景技術】
【０００２】
従来、液晶テレビ等の液晶表示装置においては、液晶パネルの背面に導光板を設け、その導光板の周囲に複数のＬＥＤ等の発光素子を配置して光源とし、当該光源からの光を、導光板を介して液晶パネルに照射するバックライト光として使用している。ここで、上記光源に配置された全ての発光素子を常時点灯させた場合、表示画面上に映像のぼやけ（残像）が生じてしまうため、液晶パネルの駆動タイミングを調整し、１フレーム分の映像信号が当該液晶表示装置に入力される毎に、発光素子を点灯／消灯させ、黒色の画面表示を行わせる信号処理（いわゆる、黒挿入駆動処理）が行われる。この際、発光素子各々に印加される電圧値や電流量を発光素子ごとに逐次制御し、必要に応じて点灯／消灯する発光素子を切換えている。
【０００３】
ところが、上述のような発光素子ごとの電圧値や電流量を逐次制御するのは、ＣＰＵ等の制御装置の処理負担が大きくなるため効率的ではない。
そこで、例えば、１個以上のＬＥＤ（発光素子）と少なくとも１個の点滅スイッチを直列接続した直列回路分枝を複数並列に接続した並列回路分枝を有し、この並列回路分岐を複数直列に接続した並列直列回路からなるＬＥＤ駆動回路が知られている（例えば、特許文献１参照）。
【先行技術文献】
【特許文献】
【０００４】
【特許文献１】特開２００５−３０２７１２号公報
【０００５】
この特許文献１に記載の発明によると、発光色ごとのＬＥＤと点滅スイッチが直列接続されたものが複数並列に接続されているため、任意のスイッチをオンにすると、当該スイッチに接続された任意の色のＬＥＤにのみ電位差を生じさせて点灯させることができるので、表示画面上でのＬＥＤによる表示色や輝度のばらつきを抑えることが可能となる。
【発明の概要】
【発明が解決しようとする課題】
【０００６】
しかしながら、上記特許文献１に記載のＬＥＤ駆動回路を備えた液晶表示装置によると、発光素子ごとの電圧値や電流量を逐次制御することなく、容易に表示画面上の表示色や輝度のばらつきを抑えることはできるが、例えば、上記黒挿入駆動処理等の液晶パネルの駆動タイミングに応じて、点灯／消灯する発光素子を切換える具体的手法を備えていないという問題があった。
【０００７】
本発明の課題は、液晶パネルの駆動タイミングに応じて、容易に点灯／消灯する発光素子を切換えることができる液晶表示装置を提供することである。
【課題を解決するための手段】
【０００８】
上記課題を解決するため、請求項１に記載の発明は、液晶パネルの背面に配置された導光板を介して前記液晶パネルに向けて光を照射する発光素子を有する光照射部と、前記光照射部に給電して発光素子から光を出射させる給電回路と、を含み、映像信号に基づく映像を前記液晶パネルを介して表示する液晶表示装置において、前記光照射部は、前記発光素子が導光板の側面と対向する向きに所定間隔で複数設けられ、前記給電回路は、各々の前記光照射部を直列に接続し、各々の前記光照射部の両端部及び／又は複数の前記光照射部の両端部に接続され、オンした状態で両端部の間に接続された光照射部への給電を停止するスイッチを有し、前記液晶パネルの駆動タイミングに応じて各々の前記スイッチのオン／オフ状態を制御し、給電を停止する一又は複数の光照射部を順次切換える切換え手段を備えることを特徴とする。
【０００９】
請求項２に記載の発明は、請求項１に記載の液晶表示装置において、前記切換え手段により給電を停止する光照射部を切換える順序を変更する変更手段を備えることを特徴とする。
【００１０】
請求項３に記載の発明は、請求項１又は２に記載の液晶表示装置において、各々の前記光照射部は、前記発光素子を複数直列、並列、あるいは直並列に接続したものからなることを特徴とする。
【００１１】
請求項４に記載の発明は、液晶パネルの背面に配置された導光板を介して前記液晶パネルに向けて光を照射する発光素子を有する光照射部と、前記光照射部に給電して発光素子から光を出射させる給電回路と、を含み、入力される映像信号を前記液晶パネルを介して表示する液晶表示装置において、前記光照射部は、前記発光素子が導光板の側面と対向する向きに所定間隔で複数設けられ、前記給電回路は、各々の前記光照射部を直列に接続し、各々の前記光照射部の両端部及び／又は複数の前記光照射部の両端部に接続され、オンした状態で両端部の間に接続された光照射部への給電を停止するスイッチを有し、前記液晶パネルの駆動タイミングに応じて各々の前記スイッチのオン／オフ状態を制御し、給電を停止する一又は複数の光照射部を順次切換える切換え手段と、前記切換え手段により給電を停止する光照射部を切換える順序を変更する変更手段と、を備え、各々の前記光照射部は、前記発光素子を複数直列、並列、あるいは直並列に接続したものからなることを特徴とする。
【発明の効果】
【００１２】
本発明によれば、発光素子を有する光照射部が直列に接続されており、各々の光照射部の両端部及び／又は複数の光照射部の両端部に接続されたスイッチをオンすると、両端部の間に接続された一又は複数の光照射部への給電を停止することができるので、発光素子ごとの電圧値や電流量を逐次制御することなく、点灯／消灯する発光素子をスイッチのオン／オフのみによって容易に切換えることができる。さらに、切換え手段によって、液晶パネルの駆動タイミングに応じて各々のスイッチのオン／オフ状態を制御し、給電を停止する一又は複数の光照射部を順次切換えることができる。
つまり、本発明は、液晶パネルの駆動タイミングに応じて、容易に点灯／消灯する発光素子を切換えることができる液晶表示装置であるといえる。
【図面の簡単な説明】
【００１３】
【図１】本発明に係る液晶表示装置の要部構成を例示するブロック図である。
【図２】本発明に係る導光板と光源部の位置関係、及び、光源部の回路配置を模式的に説明する図である。
【図３】本発明に係る光照射部に配置されるＬＥＤの配置パターンを示す図であり、（Ａ）はＬＥＤが直列に配置されているパターンを、（Ｂ）はＬＥＤが並列に配置されているパターンを、（Ｃ）はＬＥＤが直並列に配置されているパターンを、それぞれ示す。
【図４】本発明に係る導光板と光源部の位置関係、及び、光源部の回路配置を模式的に説明する図である。
【図５】本発明に係る液晶表示装置による光照射部の切換え処理の流れを説明するフローチャートである。
【発明を実施するための形態】
【００１４】
以下、本発明の実施の形態について図面を参照しながら説明する。なお、発明の範囲は図示例に限定されない。なお、以下の説明では、図２における導光板８１の左右方向をＸ方向、前後方向をＹ方向、ＸＹ方向に直交する方向をＺ方向とする。
【００１５】
本実施形態の液晶表示装置１００は、例えば、図１に示すように、信号入力部１、映像処理部２、タイミング制御部３、フレームメモリ４、液晶パネル５、走査線駆動部６、信号線駆動部７、バックライト８、制御部１２等を備える。
【００１６】
信号入力部１は、例えば、テレビジョン放送信号を受信するアンテナ及びチューナや、外部装置からの映像信号を受信する各種映像端子等を備えて構成され、入力される映像信号を受信して、映像処理部２に出力する。
【００１７】
映像処理部２は、例えば、Ａ／Ｄ変換回路、ＲＧＢ生成回路、画質調整回路等を備えて構成され、信号入力部１から供給される映像信号に基づいて、ＲＧＢのデジタル映像信号を生成し、液晶パネル５の画素数に応じたスケーリング処理を行って、１フレーム分の映像信号を生成する。さらに、１フレーム分の映像信号に対して、制御部１２から出力される画質調整信号に基づいて、ブライトネス、コントラスト、色の濃さ、色合い、シャープネス等の各種画質調整を行った後に、フレームメモリ４に出力する。
【００１８】
タイミング制御部３は、信号入力部１から供給される映像信号に基づいて、１ライン期間を示すタイミング信号と、１フレーム期間を示すタイミング信号とを生成して、液晶表示装置１００の各部に供給する。
【００１９】
フレームメモリ４は、映像処理部２から入力される映像信号をフレーム単位で蓄積し、その映像信号を液晶ディスプレイ（図示省略）に出力する。
【００２０】
液晶パネル５は、所定の間隔を隔てて配設された一対の基板の間に、マトリクス状に配置された液晶が封入されて成る。これら一対の基板は、偏光軸が直交した２枚の偏光板で挟まれ、背面側にはバックライト８が配設されている。また、液晶パネル５は、その表示領域が予め定められた分割方法で、例えば、縦ｎ個×横ｍ個のマトリクス状に等分割された複数のサブ表示領域で構成されている。
基板の上面には、ｐ行の走査線Ｘ（Ｘ１〜Ｘｐ）及びｑ列の信号線Ｙ（Ｙ１〜Ｙｑ）が互いに直交するように配列されている。この液晶パネル５は、例えば、アクティブマトリクス駆動方式を採用しており、走査線Ｘと信号線Ｙの各交点の画素に、アクティブ素子としての薄膜トランジスタ（ＴＦＴ：  Ｔｈｉｎ  Ｆｉｌｍ  Ｔｒａｎｓｉｓｔｏｒ）が配設されている。各画素には画素電極が形成され、画素電極に対向して、対向する基板に対向電極が形成されている。また、画素電極と対向電極との対向面にはそれぞれ配向膜が形成されている。つまり、液晶パネル５は、タイミング制御部３により生成されるタイミング信号に従って、上記ＴＦＴがオン／オフされ、画素電極に電荷が蓄積されて液晶の配列方向が変化することで駆動し、信号入力部１から入力される映像信号の書き込み動作を行う。
【００２１】
走査線駆動部６は、液晶パネル５における走査線Ｘ（Ｘ１〜Ｘｐ）の各々に対応して設けられており、タイミング制御部３からのタイミング信号に従って、各走査線Ｘを順に選択して、同一の走査線Ｘ上に連なるＴＦＴをオン／オフさせる。
信号線駆動部７は、液晶パネル５における信号線Ｙ（Ｙ１〜Ｙｑ）の各々に対応して設けられており、走査線駆動部６による各走査線Ｘの走査に同期して、フレームメモリ４から出力される映像信号や黒画像に応じた電圧を信号線Ｙに対して印加する。
したがって、走査線駆動部６及び信号線駆動部７により走査線Ｘと信号線Ｙとが駆動されると、それらの交点にある画素のＴＦＴがオンとなって画素電極に電荷が蓄積され、その画素電極と対向電極との間に挟持されている液晶の配列方向が変化して、配向膜と偏光板とともに、液晶パネル５の背面側に設けられたバックライト８から照射される光を画素単位で通過或いは遮断させる。
【００２２】
バックライト８は、液晶パネル５の背面に配置され、例えば、図２に示すように、導光板８１と、導光板８１の左側面（Ｘ方向）に設けられた光源部８２と、を含んで構成され、光源部８２より出射されたＸ方向の光が導光板８１の側面（ＹＺ面）から導入され、導光板８１により液晶パネル５の背面に向けてＺ方向に反射するように構成されている。
【００２３】
導光板８１は、図示は省略するが、光を導入して伝達するアクリル材等で形成された基板と、基板の背面（ＸＹ面）に形成され、基板を伝達する光を反射させる反射ドットと、基板の背面側を覆い、高光反射率を備える材質からなり、反射ドットによる反射効率を高める反射シートと、基板の表面側を覆い、反射ドットにより基板の表面側に導出される光を拡散させる拡散シートと、等を含んで構成される。したがって、導光板８１は、光源部８２から導入されるＸ方向の光を側面（ＹＺ面）から基板に導入し、当該基板内を伝達する光を反射ドット（及び反射シート）により基板の表面側に向けてＺ方向に反射させ、拡散シートで拡散させて液晶パネル５の背面を照射する。
【００２４】
光源部８２は、例えば、光照射部８３ａ〜８３ｆと、給電回路８４と、を含んで構成され、図２に示すような回路配置からなる。
【００２５】
光照射部８３ａ〜８３ｆは、それぞれ、導光板８１を介して液晶パネル５に向けて光を照射する発光素子としてのＬＥＤ（Ｌｉｇｈｔ−ＥｍｉｔｔｉｎｇＤｉｏｄｅ）を有し、当該ＬＥＤが導光板８１の側面（ＹＺ面）と対向する向きに所定間隔で設けられている。これら光照射部８３ａ〜８３ｆは、それぞれ、液晶パネル５が映像信号の書き込み動作を実行する際の数ライン分に相当する箇所を照射する。
【００２６】
なお、図２において、光照射部８３ａ〜８３ｆはそれぞれ両端部８３ａａ〜８３ｆｆ間に単一のＬＥＤを有するように構成されているが、複数有しているものであってもよい。  つまり、例えば、光照射部８３ａ〜８３ｆは、それぞれの両端部８３ａａ〜８３ｆｆ間に、図３（Ａ）に示すように、ＬＥＤが複数直列に接続されたものであってもよいし、図３（Ｂ）に示すように、ＬＥＤが導光板８１の厚さ方向（Ｚ方向）に沿って複数並列に接続されたものであってもよいし、図３（Ｃ）に示すように、ＬＥＤが複数直並列に接続されたものであってもよい。したがって、例えば、液晶パネル５へのバックライト光としての光量が十分でない場合や、光照射部８３ａ〜８３ｆに配置される各々のＬＥＤの長寿命化を図る必要がある場合等に、複数のＬＥＤを状況に応じて直列、並列、あるいは直並列に配置することにより対処することができる。
【００２７】
給電回路８４は、光照射部８３ａ〜８３ｆに給電してＬＥＤから光を出射させるための回路であり、例えば、制御部１２からの作動信号に応じてオン／オフ状態を切換えるスイッチ８５ａ〜８５ｇと、光照射部８３ａ〜８３ｆに所定値の電圧を印加する電源８６と、を含んで構成され、光照射部８３ａ〜８３ｆを直列に接続し、光照射部８３ａ〜８３ｆの両端部８３ａａ〜８３ｆｆにそれぞれスイッチ８５ａ〜８５ｇを接続している。
【００２８】
スイッチ８５ａ〜８５ｇは、それぞれ、オフした状態で電源８６より印加される電圧により両端部８３ａａ〜８３ｆｆの間に接続された光照射部に給電を行う一方で、オンした状態で両端部８３ａａ〜８３ｆｆの間に接続された光照射部への給電を停止する機能を有する。つまり、例えば、光照射部８３ａ及び光照射部８３ｂの両端部８３ａａ及び両端部８３ｂｂの間に接続されるスイッチ８５ａをオンした場合、電源８６より電圧が印加されても、スイッチ８５ａによりバイパス経路が形成され、光照射部８３ａ及び光照射部８３ｂには電位差が生じないため（給電が停止されるため）、光照射部８３ａ及び光照射部８３ｂに含まれるＬＥＤを消灯することができる。
なお、図２において、光照射部８３ａ及び光照射部８３ｂに含まれるダイオードが黒色で表示されているのは、スイッチ８５ａがオンされて、光照射部８３ａ及び光照射部８３ｂへの給電が停止された状態を示している。
【００２９】
制御部１２は、例えば、ＣＰＵ（Ｃｅｎｔｒａｌ  Ｐｒｏｃｅｓｓｉｎｇ  Ｕｎｉｔ）１２１、ＣＰＵ１２１のワークエリアとして用いられるＲＡＭ（Ｒａｎｄｏｍ  Ａｃｃｅｓｓ  Ｍｅｍｏｒｙ）１２２、ＣＰＵ１２１によって実行される各種プログラムを格納する記憶部１２５等を備えて構成される。
【００３０】
ＣＰＵ１２１は、液晶表示装置１００の各部から入力される入力信号に応じて、記憶部１２５に格納された各種プログラムを実行するとともに、実行にかかるプログラムに基づいて各部に出力信号を出力することにより、液晶表示装置１００の動作全般を統括制御する。
【００３１】
ＲＡＭ１２２は、例えば、ＣＰＵ１２１により実行される処理プログラム等を展開するためのプログラム格納領域や、入力データや処理プログラムが実行される際に生じる処理結果等を格納するデータ格納領域などを備える。
【００３２】
記憶部１２５は、プログラム格納エリア内に、例えば、切換えプログラム１２５ａ、変更プログラム１２５ｂ等を備えている。
【００３３】
切換えプログラム１２５ａは、例えば、ＣＰＵ１２１に、液晶パネル５の駆動タイミングに応じて各々のスイッチ８５ａ〜８５ｇのオン／オフ状態を制御し、給電を停止する一又は複数の光照射部８３ａ〜８３ｆを順次切換える機能を実現させるプログラムである。ここで、液晶パネル５の駆動タイミングとは、例えば、タイミング制御部３により生成されるタイミング信号に基づいて映像信号の書き込み動作を行うタイミングである。
具体的には、ＣＰＵ１２１が切換えプログラム１２５ａを実行することにより、タイミング制御部３により生成されるタイミング信号に基づき、液晶パネル５が映像信号の書き込み動作を行う際に、書き込み動作を実行するラインに該当する光照射部又は当該光照射部に隣接する光照射部への給電を停止することができる。
つまり、ＣＰＵ１２１が切換えプログラム１２５ａを実行することにより、液晶パネル５に配置された液晶の駆動に同期させて、予め定められた時間間隔でスイッチ８５ａ、スイッチ８５ｂ、スイッチ８５ｃの順にオンして、光照射部８３ａ及び光照射部８３ｂ、光照射部８３ｃ及び光照射部８３ｄ、光照射部８３ｅ及び光照射部８３ｆ、と給電を停止する光照射部（消灯するＬＥＤ）を順次切換える制御を実行することができるので、いわゆる黒挿入駆動の効果を得ることができる（表示画面上の映像のぼやけを防止することができる）。
また、ＣＰＵ１２１は切換えプログラム１２５ａの実行により、液晶パネル５の駆動タイミングに応じて、光照射部８３ａ〜８３ｆ各々に印加される電圧や電流量を制御することなく、単にスイッチ８５ａ〜８５ｇのオン／オフ状態を制御するだけで、給電を停止する光照射部（消灯するＬＥＤ）を順次切換えることができるので、処理負担が大幅に縮減される。
なお、上記給電を停止する光照射部８３ａ〜８３ｆを切換える順序は、後述の変更プログラム１２５ｂの実行により逐次変更され、切換えプログラム１２５ａは当該変更された順序に従って光照射部８３ａ〜８３ｆを順次切換える処理を行う。
【００３４】
変更プログラム１２５ｂは、例えば、ＣＰＵ１２１に、切換えプログラム１２５ａの実行による給電を停止する光照射部を切換える順序を変更する機能を実現させるプログラムである。
具体的には、ＣＰＵ１２１が変更プログラム１２５ｂを実行することにより、例えば、切換えプログラム１２５ａが実行されて、上記のように、スイッチ８５ａ、スイッチ８５ｂ、スイッチ８５ｃの順にスイッチがオンされた場合、液晶パネル５の次の駆動タイミング（つまり、次のフレームの映像信号を表示するタイミング）では、スイッチ８５ｄ、スイッチ８５ｅ、スイッチ８５ｆ及びスイッチ８５ｇ（スイッチ８５ｆとスイッチ８５ｇは同時にオンされる）の順にオンするように変更することで、光照射部８３ｂ及び光照射部８３ｃ、光照射部８３ｄ及び光照射部８３ｅ、光照射部８３ｆ及び光照射部８３ａ、と給電を停止する光照射部を切換える順序を変更することができる。なお、上記光照射部を切換える順序の変更にあわせて、液晶パネル５が映像信号の書き込み動作を行う際の、書き込み動作を実行するラインの順序も変更する。
つまり、液晶パネル５の駆動タイミングごとに、給電が停止される光照射部が同じ順序で切換えられた場合、ユーザに切換え時の表示画面上の明暗を気づかせてしまうおそれがあるため、上述のように駆動タイミングに応じて光照射部を切換える順序を変更することで、上記明暗をユーザに気づかせないようにすることができる。
【００３５】
なお、切換えプログラム１２５ａ及び変更プログラム１２５ｂは、上記のように一のスイッチにて複数の光照射部への給電を停止するように制御するものでなくともよい。
具体的には、例えば、図４に示すように、光照射部８３ａ〜８３ｆの両端部８３ａａ〜８３ｆｆそれぞれにスイッチ８７ａ〜スイッチ８７ｆを接続し、各々の光照射部８３ａ〜８３ｆへの給電の停止を、スイッチ８７ａ〜スイッチ８７ｆにより個別に切換えられるようにする。
そして、ＣＰＵ１２１が切換えプログラム１２５ａを実行することにより、液晶パネル５の駆動タイミングに応じて、予め定められた時間間隔で、スイッチ８７ａ及びスイッチ８７ｂ、スイッチ８７ｃ及びスイッチ８７ｄ、スイッチ８７ｅ及びスイッチ８７ｆ、の順にオンすることで、光照射部８３ａ及び光照射部８３ｂ、光照射部８３ｃ及び光照射部８３ｄ、光照射部８３ｅ及び光照射部８３ｆ、と給電を停止する光照射部を順次切換えることができる。
また、ＣＰＵ１２１が変更プログラム１２５ｂを実行することにより、液晶パネル５の次の駆動タイミングでは、スイッチ８７ｂ及びスイッチ８７ｃ、スイッチ８７ｄ及びスイッチ８７ｅ、スイッチ８７ｆ及びスイッチ８７ａ、の順にオンするように変更することで、光照射部８３ｂ及び光照射部８３ｃ、光照射部８３ｄ及び光照射部８３ｅ、光照射部８３ｆ及び光照射部８３ａ、と給電を停止する光照射部を切換える順序を変更することができる。
【００３６】
次に、図５のフローチャートを参照しながら、本実施形態の液晶表示装置１００において行われる光照射部８３ａ〜８３ｆの切換え処理の流れについて説明する。
【００３７】
まず、液晶表示装置１００の信号入力部１に対して、外部装置より映像信号が入力される（ステップＳ１）。
次いで、タイミング制御部３により上記映像信号に基づくタイミング信号が生成されて液晶表示装置１００の各部に供給され、当該タイミング信号に従って液晶パネル５が駆動する（ステップＳ２）。
【００３８】
次いで、ＣＰＵ１２１は、切換えプログラム１２５ａを実行し、液晶パネル５の駆動タイミングに応じて、給電を停止する光照射部８３ａ〜８３ｆを順次切換える（ステップＳ３）。
【００３９】
次いで、ＣＰＵ１２１は、ステップＳ１にて入力された映像信号に基づく全ての映像を表示したか否かを判断する（ステップＳ４）。
そして、ＣＰＵ１２１は、全ての映像を表示していないと判断した場合（ステップＳ４；Ｎｏ）、変更プログラム１２５ｂを実行して、切換えプログラム１２５ａの実行による給電を停止する光照射部を切換える順序を変更し（ステップＳ５）、ステップＳ２以降の処理を繰り返し行う。
一方で、ＣＰＵ１２１は、全ての映像を表示したと判断した場合（ステップＳ４；Ｙｅｓ）、本処理を終了する。
【００４０】
以上説明した本実施形態における液晶表示装置１００によれば、液晶表示装置１００において、光照射部８３ａ〜８３ｆは、ＬＥＤが導光板８１の側面と対向する向きに所定間隔で設けられ、給電回路８４は、各々の光照射部８３ａ〜８３ｆを直列に接続し、各々の光照射部８３ａ〜８３ｆの両端部８３ａａ〜８３ｆｆ及び／又は複数の光照射部８３ａ〜８３ｆの両端部８３ａａ〜８３ｆｆに接続され、オンした状態で両端部８３ａａ〜８３ｆｆの間に接続された光照射部８３ａ〜８３ｆへの給電を停止するスイッチ８５ａ〜８５ｇ（８７ａ〜８７ｆ）を備え、切換えプログラム１２５ａにより、液晶パネル５の駆動タイミングに応じて各々のスイッチ８５ａ〜８５ｇのオン／オフ状態を制御し、給電を停止する一又は複数の光照射部８３ａ〜８３ｆを順次切換えるように構成されている。
つまり、本発明によると、ＣＰＵ１２１の切換えプログラム１２５ａの実行により、液晶パネル５の駆動タイミングに応じて、光照射部８３ａ〜８３ｆ各々に印加される電圧や電流量を制御することなく、単にスイッチ８５ａ〜８５ｇのオン／オフ状態を制御するだけで、給電を停止する光照射部（消灯するＬＥＤ）を順次切換えることができる。
したがって、本発明は、液晶パネルの駆動タイミングに応じて、容易に点灯／消灯する発光素子を切換えることができる液晶表示装置であるといえる。
【００４１】
また、ＣＰＵ１２１の変更プログラム１２５ｂの実行により、切換えプログラム１２５ａの実行による給電を停止する光照射部を切換える順序を変更することが出来る。  
つまり、液晶パネル５の駆動タイミングごとに、給電が停止される光照射部が同じ順序で切換えられた場合、ユーザに切換え時の表示画面上の明暗を気づかせてしまうおそれがあるため、変更プログラム１２５ｂの実行により、液晶パネル５の駆動タイミングに応じて光照射部８３ａ〜８３ｆを切換える順序を変更することで、上記明暗をユーザに気づかせないようにすることができる。
【００４２】
また、光照射部８３ａ〜８３ｆは、ＬＥＤを複数直列、並列、あるいは直並列に接続したものからなる。
つまり、例えば、液晶パネル５へのバックライト光としての光量が十分でない場合や、光照射部８３ａ〜８３ｆに配置される各々のＬＥＤの長寿命化を図る必要がある場合等に、複数のＬＥＤを状況に応じて直列、並列、あるいは直並列に配置することにより対処することができる。
【００４３】
なお、本発明の範囲は上記実施形態に限られることなく、本発明の趣旨を逸脱しない範囲において種々の改良並びに設計の変更を行っても良い。
【符号の説明】
【００４４】
１００                          液晶表示装置
５                              液晶パネル
６                              走査線駆動部
７                              信号線駆動部
８                              バックライト
８１                            導光板
８２                            光源部
８３ａ〜８３ｆ                  光照射部
８３ａａ〜８３ｆｆ              両端部
８４                            給電回路
８５ａ〜８５ｇ，８７ａ〜８７ｆ  スイッチ
１２                            制御部
１２１                          ＣＰＵ（切換え手段、変更手段）
１２５ａ                        切換えプログラム（切換え手段）
１２５ｂ                        変更プログラム（変更手段）
【図１】
2010210973.tif 000003
【図２】
2010210973.tif 000004
【図３】
2010210973.tif 000005
【図４】
2010210973.tif 000006
【図５】
2010210973.tif 000007